(57)【要約】【課題】天場工事におけるセメントモルタルでの仕上げ作業を行う際に、定規を手軽でしかも経済的に押さえる器具が必要であることから、天場定規押さえを提供する。【解決手段】天場仕上げの際のコンクリート又はコンクリートブロック６の上にセメントモルタル５を流し撫で付ける工事で、セメントモルタル５が流れ出ないように、又、モルタル５が平らに成るように定規４を用いる。その場合定規４を強力に挟むこと、あるいは、簡便に取り外しできる器具が天場定規押さえ１である。【選択図】図２
0003145729.tif 000002
【実用新案登録請求の範囲】
【請求項１】
天場仕上げ工事におけるセメントモルタルとコンクリート又はコンクリートブロックと定規を支える器具であって、鉄材又は強度のプラスチックの棒材と上部カバーと加圧接触部材と握り部カバーから成る天場定規押さえ。
【請求項２】
略三角形を成し弾力も強く掛け外しが容易であることを特徴とする請求項１の天場定規押さえ。
【考案の詳細な説明】
【技術分野】
【０００１】本考案は、土木工事の天場工事仕上げに、セメントモルタルを平らに流すための定規を安定させることのできる天場定規押さえに関する。
【背景技術】
【０００２】  一般的な住宅建設の基礎工事や塀などの天場仕上げを行う場合に、鉄筋コンクリートあるいはコンクリートブロック工事を終えた後にセメントモルタルを流して仕上げるのが一般的であり、流したモルタルがはみ出さないように、また、仕上げを正確に行えるよう胴縁等で定規を作製し固定させるのであるが、固定した定規はいずれ移動しなければならない。固定された定規を固く安定させ、また、移動し易くできるならば便利である。
従来、天場仕上げを行う方法として諸種の方法があり、本考案に近いものに「特許文献１」があげられ、「特許文献２」及び「特許文献３」もあげることができるが相違点もまた大きい。
【特許文献１】実用新案公開平第７−１６８５０号
【特許文献２】特許公開平第１０−５４０４０号
【特許文献３】特許公開平第８−１９９５９０号
【考案の開示】
【考案が解決しようとする課題】
【０００３】  「特許文献１」の「実用新案公開平第７−１６８５０号」の「基礎天場ならし用定規押さえ金具」はブリキ金具の下部に粘着テープを使用しているため、正確に作業を仕上げることができると思われるが、部品の使用量が多いため作業に時間を多く要すると思われる。「特許文献２」の「特許公開平第１０−５４０４０号」の「基礎コンクリート打設と平行して天場水平均具」は、両側に目安印を付け、そこから水平糸を張り、水平糸に合わせて打設するもので、強固な工事結果が得られるであろうが作業に時間を要する。「特許文献３」の「特許公開平第８−１９９５９０号」の「コンクリートブロック建築基礎工法」は、確かに、工事全体からして天場仕上げの経済的出費を押さえることのできるものでもあるが、小規模工事の場合には参考とならない。本考案の場合は、手軽に工事を行うことのできるのが目的である。【０００４】  本考案は、塀又は基礎工事の天場仕上げ工事の場合や、コンクリートブロックや鉄筋コンクリートに釘を打つ等して定規を支えて天場を仕上げていた状態もあったが、定規を容易に押える器具があれば作業を容易にできるという要請に鑑みて考案されたものであり、安価で取り外しも簡単で、しかも、強力に圧力を加えることが可能ものを提供することを目的としている。
【課題を解決するための手段】
【０００５】  本考案は、以上の目的を達成するために、請求項１の考案は、天場工事におけるセメントモルタルとコンクリート又はコンクリートブロックと定規とを支える器具であって、鉄材又は強度のプラスチックの棒材と上部カバーと加圧接触部材と握り部カバーから成る天場定規押さえを特徴とする。【０００６】  また、請求項２の考案は、略三角形を成し弾力も強く掛け外しが容易であることを特徴とする。
【考案の効果】
【０００７】  １）本考案の請求項１のブロック塀、あるいは、鉄筋コンクリート工事の仕上げで最終段階の天場仕上げにおいて、コンクリートブロックあるいは鉄筋コンクリートの両側に定規を当て、定規の間にセメントモルタルを流して最終仕上げを行うが、定規の両面を簡単にしかも確実に押さえることのできる本考案の天場定規押さえが、風などで揺れることなく、また、作業者が倒したいときには容易に倒せ、しっかりと定規を押さえセメントモルタルを安心して流し仕上げることのでき便利である。また、本考案の天場定規押さえに鉄材を使用する場合は、金属疲労を防ぐことと防錆のために、上部をプラスチックで上部カバーを設置し、作業者の手の触れ易い位置に握り部カバーを掛け、寒い季節の保温と防錆のためビニールにより覆いを掛けている。【０００８】  ２）本考案の請求項２の略三角形を成し弾力も強く掛け外しが容易であることによれば、モルタルを流したり、ここでセメントモルタルを撫で付ける作業を行う場合に、天場定規押さえの上部が鋭角になっていることから、作業者の体に触れる部分が少ないため作業が容易である。
【考案を実施するための最良の形態】
【実施例】
【０００９】  以下、本考案の天場定規押さえの実施例を図１から図６の図面を参照して詳述する。【００１０】  図１は、天場定規押さえ１のみを表す平面図であり、鉄材２に上部カバー７と握り部カバー８と加圧接触部材３とを取り付けた状態を示している。尚、天場定規押さえ１の大きさについては、小さいもので、鉄材２の二等辺三角形の長い部分の１辺の長さを、小位で３０ｃｍ、中位で３６ｃｍ、大位で４２ｃｍ位がよく、鉄材２の太さは各３ｍｍ程度がよい。材質を鉄とする場合は、鉄筋コンクリートに用いられている鉄筋を使用することにより安価に製作できる。【００１１】  図２は、天場仕上げの際のコンクリート又はブロック６を定規４で挟むようにしながら天場定規押さえ１で押さえ、セメントモルタル５を流し、撫で付けた状態を表している。前述に続いて、二等辺三角形の底辺の部分の長さについて説明するが、仮に、コンクリート又はブロック６の厚さ１２ｃｍのものとして、鉄材２の材質を鉄とする場合は、天場定規押さえ１は前述による図１の中位となり、定規４の厚さと対象物のコンクリート又はブロック６に定規４の厚さを加えると１５ｃｍ程度となり、この長さは加圧接触部材３と向かい側の加圧接触部材３との間の長さと云うことになる。二等辺三角形の底辺の部分の長さは、加圧接触部材３が２個と鉄材２のＬ型に曲がる部分が必要であることから２４〜２５ｃｍ程度となるが、使用していないときは弾力で縮んでいるため、製作をする場合、底辺部分の長さを２〜３ｃｍ程度短くしておかなければならない。【００１２】  図３は、天場定規押さえ１の鉄材２のＡ−Ａの断面を表しており、鉄材２はどこを切断しても全てこの断面でできている。【００１３】  図４は、Ｂ−Ｂの断面で天場押さえ１の上部である鉄材２の上部を上部カバー７で覆い、ビスとナット９で固定しているようすを示している。尚、ビスとナット９は、はとめのような方法を用いてもよく、ビスとナット９に拘るものではない。【００１４】  図５は、定規４に圧力を加える加圧接触部材３の断面図でプラスチック製であり、特に滑り止め１０は定規４に接触し、少々の風などでは倒れることなく、又、人の手によって押すことにより天場押さえ１が倒れなければならないと云うこともあり、摩擦と滑り易さの両面を持つ重要な部所である。【００１５】  図６は、工事をする人がよく触れる部分でＣ−Ｃの断面図で鉄材２にビニール製の管を被せた握り部カバー８である。【００１６】  以上、天場押さえ１は、取り外しが容易で、持ち運びや格納も得易く、鉄材２は強度の高いプラスチックを使用することにより、更に、経済性をねらうことができる。
【産業上の利用可能性】
【００１７】  本考案の天場定規押さえは、天場作業での定規を押さえるのみに係わらず、板材や角材等幾種かの仮束ねをしたいとき、あるいは、２枚の板材を使用することにより、新聞や雑誌等を挟む利用方法もある。
【図面の簡単な説明】
【００１８】
【図１】天場定規押さえの平面図。
【図２】天場押さえと天場仕上げの関連図。
【図３】鉄材の断面図。
【図４】上部カバーの断面図。
【図５】加圧接触部材の断面図。
【図６】握り部カバーと鉄棒の断面図。
【符号の説明】
【００１９】  １．天場定規押さえ
２．鉄材
３．加圧接触部材
４．定規
５．セメントモルタル
６．コンクリート又はコンクリートブロック
７．上部カバー
８．握り部カバー
９．ビスとナット
１０．滑り止め
【図１】
0003145729.tif 000003
【図２】
0003145729.tif 000004
【図３】
0003145729.tif 000005
【図４】
0003145729.tif 000006
【図５】
0003145729.tif 000007
【図６】
0003145729.tif 000008
【手続補正書】
【提出日】平成20年4月28日(2008.4.28)
【手続補正１】
【補正対象書類名】明細書
【補正対象項目名】００１０
【補正方法】変更
【補正の内容】
【００１０】  図１は、天場定規押さえ１のみを表す平面図であり、鉄材２に上部カバー７と握り部カバー８と加圧接触部材３とを取り付けた状態を示している。尚、天場定規押さえ１の大きさについては、小さいもので、鉄材２の二等辺三角形の長い部分の１辺の長さを、小位で３０ｃｍ、中位で３６ｃｍ、大位で４２ｃｍ位がよく、鉄材２の太さは各９ｍｍ程度がよい。材質を鉄とする場合は、鉄筋コンクリートに用いられている鉄筋を使用することにより安価に製作できる。
【手続補正書】
【提出日】平成20年7月14日(2008.7.14)
【手続補正１】
【補正対象書類名】実用新案登録請求の範囲
【補正対象項目名】全文
【補正方法】変更
【補正の内容】
【実用新案登録請求の範囲】
【請求項１】
天場仕上げ工事において、セメントモルタルの型枠材としての定規を固定するための器具であって、平面三角状を成す一辺の中央部が欠落した形状に形成された鉄材と、該鉄材の両端部に設置された加圧接触部材と、前記鉄材の欠落部のない辺の所定位置に設置された握り部カバーと、前記鉄材の三角状の頂部を拘束するための上部カバーとから成ることを特徴とする天場定規押さえ。